(57)【特許請求の範囲】
【請求項１】
それぞれ複数のセグメントに分割された第１及び第２ＯＦＤＭ信号を含む複数のＯＦＤＭ信号を受信するＯＦＤＭ受信装置であって、
前記第１ＯＦＤＭ信号の３セグメントを受信する第１受信モードと、前記第１及び第２ＯＦＤＭ信号の各１セグメントを受信する第２受信モードを含む複数の受信モードのいずれか１つを設定する受信モード設定回路と、
前記受信モード設定回路が設定した受信モードに応じて、前記第１及び第２ＯＦＤＭ信号の各セグメントを選択的にＯＦＤＭ復調する復調回路と、
前記第２受信モード時に、前記復調回路によってＯＦＤＭ復調された前記第１及び第２ＯＦＤＭ信号をダイバーシティ受信するダイバーシティ受信回路とを備え、
前記復調回路は、それぞれ異なるセグメントをＯＦＤＭ復調する第１〜第３セグメント復調回路を備え、
前記第１受信モード時には、前記第１〜第３セグメント復調回路に前記第１ＯＦＤＭ信号の３セグメントが入力され、
前記第２受信モード時には、前記第１〜第３セグメント復調回路のうちのいずれか２つに前記第１及び第２ＯＦＤＭ信号の各１セグメントが入力され、
前記ダイバーシティ受信回路は、前記第１受信モード時に、ＯＦＤＭ復調後の前記第１
ＯＦＤＭ信号の３セグメントを結合することを特徴とするＯＦＤＭ受信装置。
【請求項２】
それぞれ複数のセグメントに分割された第１及び第２ＯＦＤＭ信号を含む複数のＯＦＤＭ信号を受信するＯＦＤＭ受信装置であって、
前記第１ＯＦＤＭ信号の３セグメントを受信する第１受信モードと、前記第１及び第２ＯＦＤＭ信号の各１セグメントを受信する第２受信モードを含む複数の受信モードのいずれか１つを設定する受信モード設定回路と、
前記受信モード設定回路が設定した受信モードに応じて、前記第１及び第２ＯＦＤＭ信号の各セグメントを選択的にＯＦＤＭ復調する復調回路と、
前記第２受信モード時に、前記復調回路によってＯＦＤＭ復調された前記第１及び第２ＯＦＤＭ信号をダイバーシティ受信するダイバーシティ受信回路とを備え、
前記復調回路は、前記第１受信モード時に、前記第１ＯＦＤＭ信号の３セグメントをＯＦＤＭ復調し、前記第２受信モード時に、前記第１ＯＦＤＭ信号の１セグメントをＯＦＤＭ復調する第１セグメント復調回路と、前記第２受信モード時に、前記第２ＯＦＤＭ信号の１セグメントをＯＦＤＭ復調する第２セグメント復調回路とを備え、
前記ダイバーシティ受信回路は、前記第１受信モード時に、ＯＦＤＭ復調後の前記第１
ＯＦＤＭ信号の３セグメントを結合することを特徴とするＯＦＤＭ受信装置。
【請求項３】
前記複数の受信モードは、前記第１及び第２ＯＦＤＭ信号のいずれか一方の１セグメントを受信する第３受信モードを更に含むことを特徴とする請求項１または２に記載のＯＦＤＭ受信装置。
【請求項４】
それぞれ複数のセグメントに分割された第１及び第２ＯＦＤＭ信号を含む複数のＯＦＤＭ信号をそれぞれ受信する複数のアンテナと、
前記複数のアンテナが受信した複数のＯＦＤＭ信号を所定の周波数帯域にそれぞれ制限する複数のチューナと、
前記所定の周波数帯域に制限された複数のＯＦＤＭ信号をそれぞれデジタル化する複数のＡ／Ｄ変換器と、
前記デジタル化された第１ＯＦＤＭ信号の３セグメントを受信する第１受信モードと、前記デジタル化された第１及び第２ＯＦＤＭ信号の各１セグメントを受信する第２受信モードを含む複数の受信モードのいずれか１つを設定する受信モード設定回路と、
前記受信モード設定回路が設定した受信モードに応じて、前記第１及び第２ＯＦＤＭ信号の各セグメントを選択的にＯＦＤＭ復調する復調回路と、
前記第２受信モード時に、前記復調回路によってＯＦＤＭ復調された前記第１及び第２ＯＦＤＭ信号をダイバーシティ受信するダイバーシティ受信回路と、
前記ＯＦＤＭ復調後の前記第１及び第２受信信号に基づき、映像の表示又は音声の出力の少なくとも一方を行う出力装置とを備える地上デジタル放送受信端末において、
前記復調回路は、それぞれ異なるセグメントをＯＦＤＭ復調する第１〜第３セグメント復調回路を備え、
前記第１受信モード時には、前記第１〜第３セグメント復調回路に前記第１ＯＦＤＭ信号の３セグメントが入力され、
前記第２受信モード時には、前記第１〜第３セグメント復調回路のうちのいずれか２つに前記第１及び第２ＯＦＤＭ信号の各１セグメントが入力され、
前記ダイバーシティ受信回路は、前記第１受信モード時に、ＯＦＤＭ復調後の前記第１
ＯＦＤＭ信号の３セグメントを結合することを特徴とする地上デジタル放送受信端末。
【請求項５】
それぞれ複数のセグメントに分割された第１及び第２ＯＦＤＭ信号を含む複数のＯＦＤＭ信号をそれぞれ受信する複数のアンテナと、
前記複数のアンテナが受信した複数のＯＦＤＭ信号を所定の周波数帯域にそれぞれ制限する複数のチューナと、
前記所定の周波数帯域に制限された複数のＯＦＤＭ信号をそれぞれデジタル化する複数のＡ／Ｄ変換器と、
前記デジタル化された第１ＯＦＤＭ信号の３セグメントを受信する第１受信モードと、前記デジタル化された第１及び第２ＯＦＤＭ信号の各１セグメントを受信する第２受信モードを含む複数の受信モードのいずれか１つを設定する受信モード設定回路と、
前記受信モード設定回路が設定した受信モードに応じて、前記第１及び第２ＯＦＤＭ信号の各セグメントを選択的にＯＦＤＭ復調する復調回路と、
前記第２受信モード時に、前記復調回路によってＯＦＤＭ復調された前記第１及び第２ＯＦＤＭ信号をダイバーシティ受信するダイバーシティ受信回路と、
前記ＯＦＤＭ復調後の前記第１及び第２受信信号に基づき、映像の表示又は音声の出力の少なくとも一方を行う出力装置とを備える地上デジタル放送受信端末において、
前記復調回路は、前記第１受信モード時に、前記第１ＯＦＤＭ信号の３セグメントをＯＦＤＭ復調し、前記第２受信モード時に、前記第１ＯＦＤＭ信号の１セグメントをＯＦＤＭ復調する第１セグメント復調回路と、前記第２受信モード時に、前記第２ＯＦＤＭ信号の１セグメントをＯＦＤＭ復調する第２セグメント復調回路とを備え、
前記ダイバーシティ受信回路は、前記第１受信モード時に、ＯＦＤＭ復調後の前記第１
ＯＦＤＭ信号の３セグメントを結合することを特徴とする地上デジタル放送受信端末。
【請求項６】
それぞれ複数のセグメントに分割された第１及び第２ＯＦＤＭ信号を含む複数のＯＦＤＭ信号を所定の周波数帯域にそれぞれ制限する複数のチューナと、
前記所定の周波数帯域に制限された複数のＯＦＤＭ信号をそれぞれデジタル化する複数のＡ／Ｄ変換器と、
前記デジタル化された第１ＯＦＤＭ信号の３セグメントを受信する第１受信モードと、前記デジタル化された第１及び第２ＯＦＤＭ信号の各１セグメントを受信する第２受信モードを含む複数の受信モードのいずれか１つを設定する受信モード設定回路と、
前記受信モード設定回路が設定した受信モードに応じて、前記第１及び第２ＯＦＤＭ信号の各セグメントを選択的にＯＦＤＭ復調する復調回路と、
前記第２受信モード時に、前記復調回路によってＯＦＤＭ復調された前記第１及び第２ＯＦＤＭ信号をダイバーシティ受信するダイバーシティ受信回路
とを備える地上デジタル放送受信チューナにおいて、
前記復調回路は、それぞれ異なるセグメントをＯＦＤＭ復調する第１〜第３セグメント復調回路を備え、
前記第１受信モード時に、前記第１〜第３セグメント復調回路に前記第１ＯＦＤＭ信号の３セグメントが入力され、
前記第２受信モード時に、前記第１〜第３セグメント復調回路のうちのいずれか２つに前記第１及び第２ＯＦＤＭ信号の各１セグメントが入力され、
前記ダイバーシティ受信回路は、前記第１受信モード時に、ＯＦＤＭ復調後の前記第１
ＯＦＤＭ信号の３セグメントを結合することを特徴とする地上デジタル放送受信チューナ。
【請求項７】
それぞれ複数のセグメントに分割された第１及び第２ＯＦＤＭ信号を含む複数のＯＦＤＭ信号を所定の周波数帯域にそれぞれ制限する複数のチューナと、
前記所定の周波数帯域に制限された複数のＯＦＤＭ信号をそれぞれデジタル化する複数のＡ／Ｄ変換器と、
前記デジタル化された第１ＯＦＤＭ信号の３セグメントを受信する第１受信モードと、前記デジタル化された第１及び第２ＯＦＤＭ信号の各１セグメントを受信する第２受信モードを含む複数の受信モードのいずれか１つを設定する受信モード設定回路と、
前記受信モード設定回路が設定した受信モードに応じて、前記第１及び第２ＯＦＤＭ信号の各セグメントを選択的にＯＦＤＭ復調する復調回路と、
前記第２受信モード時に、前記復調回路によってＯＦＤＭ復調された前記第１及び第２ＯＦＤＭ信号をダイバーシティ受信するダイバーシティ受信回路とを備える地上デジタル放送受信チューナにおいて、
前記復調回路は、前記第１受信モード時に、前記第１ＯＦＤＭ信号の３セグメントをＯＦＤＭ復調し、前記第２受信モード時に、前記第１ＯＦＤＭ信号の１セグメントをＯＦＤＭ復調する第１セグメント復調回路と、前記第２受信モード時に、前記第２ＯＦＤＭ信号の１セグメントをＯＦＤＭ復調する第２セグメント復調回路とを備え、
前記ダイバーシティ受信回路は、前記第１受信モード時に、ＯＦＤＭ復調後の前記第１
ＯＦＤＭ信号の３セグメントを結合することを特徴とする地上デジタル放送受信チューナ。
【発明の詳細な説明】
【技術分野】
【０００１】
本発明は、直交周波数分割多重（Orthogonal Frequency Division Multiplex；ＯＦＤＭ）伝送方式で伝送される地上デジタル放送信号を受信するＯＦＤＭ受信装置、地上デジタル放送受信端末、及び地上デジタル放送受信チューナに関する。
【背景技術】
【０００２】
近年、移動体向けのデジタル音声放送や、地上系のデジタルテレビ放送において、ＯＦＤＭ伝送方式が注目されている。このＯＦＤＭ伝送方式は、送信側では、伝送するデジタルデータを互いに直交する多数の副搬送波（以下、「サブキャリア」という）で変調し、逆高速フーリエ変換（ＩＦＦＴ）処理により、周波数領域から時間領域の信号に変換し、受信側では高速フーリエ変換（ＦＦＴ）処理により時間領域から周波数領域の信号に変換する伝送方式である。使用するサブキャリアの数が数百〜数千と多くなると、各々の変調波のシンボル周期が極めて長くなるため、ＯＦＤＭ伝送方式はマルチパス干渉の影響を受け難いという特徴を有している。
【０００３】
国内地上波デジタル放送であるＩＳＤＢ−Ｔ(Integrated Services Digital Broadcasting - Terrestrial)では、６ＭＨｚの帯域幅を１３個のセグメントに分割し、セグメント毎に搬送波の変調方式等を変更可能とする階層伝送が採用されている（例えば、非特許文献１参照。）。階層伝送により、固定機器向けの放送サービスと携帯機器向けの放送サービスとを同時に提供することができる。地上波デジタル放送では、１３個のセグメントのうちの中央に配置される１セグメントを携帯機器向け放送に使用する。
【０００４】
国内地上波デジタル音声放送であるＩＳＤＢ−ＴＳＢ（integrated services digital broadcasting terrestrial for sound broadcasting）では、使用するチャンネルにより、８個又は１３個のセグメントで放送を行うが、１つの放送サービスは１又は３セグメントとし、複数の放送サービスを多重して８個又は１３個のセグメントを形成し放送する「連結送信」と呼ばれる方式を採用している（例えば、非特許文献２参照。）。３セグメント方式では、中央の１セグメントと両側の２セグメントでは別の階層構成として異なるサービスを行う仕様となっている。３セグメント方式においても中央の１セグメントは、１セグメント専用受信機でも受信可能であり、地上波デジタル音声放送で最も重要なセグメントである。
【０００５】
ところで、放送サービスを移動しながら受信する場合、マルチパスやフェージングの影響を受けるため、複数のアンテナや復調部を使うダイバーシティ方式を採用し、受信性能を向上させるのが一般的である。
【０００６】
車載用の地上波デジタル放送受信機において、複数のモニタで同一のチャンネルを受信する場合は複数のＯＦＤＭ復調系統を使ってダイバーシティ合成を行うことで安定に受信する一方、複数のモニタで異なるチャンネルを受信する場合は複数のＯＦＤＭ系統で別々のチャンネルを受信する手法が提案されている（例えば、特許文献１参照。）。
【非特許文献１】映像情報メディア学会誌Vol.52、No.11,pp1562-1566(1998)
【非特許文献２】映像情報メディア学会誌Vol.53、No.11,pp1467-1471(1999)
【特許文献１】特開２００５−１６７８９０号公報
【発明の開示】
【発明が解決しようとする課題】
【０００７】
しかしながら、上記のダイバーシティ方式に係る背景技術においては、同一チャンネルで放送される別方式の放送サービス(例えば、３セグメント方式と１セグメント方式など)の受信や同一サービスの受信が考慮されていない。
【０００８】
更に、携帯端末のような小さな筐体には大規模な回路を搭載することができないため、ダイバーシティ方式を採用することは現実的ではない。３セグメント受信端末の回路規模は１セグメント専用受信端末の回路規模よりも増大するため、ダイバーシティ方式を３セグメント受信端末に採用した場合、1セグメント専用受信端末に比べて回路規模増加量が更に増大するため、ダイバーシティ方式による性能向上は困難であった。
【０００９】
以上のように、デジタル音声放送を受信する３セグメント受信端末で３セグメント受信する場合、ダイバーシティ方式を採用すると、回路規模が大幅に増大するため、携帯端末のような小さな筐体に搭載することが困難であった。
【００１０】
上記問題点を鑑み、本発明は、回路規模の増大を抑制しつつ、受信性能を改善可能なＯＦＤＭ受信装置、地上デジタル放送受信端末、及び地上デジタル放送受信チューナを提供することを目的とする。
【課題を解決するための手段】
【００１１】
上記目的を達成するために、本発明の第１の特徴は、
それぞれ複数のセグメントに分割された第１及び第２ＯＦＤＭ信号を含む複数のＯＦＤＭ信号を受信するＯＦＤＭ受信装置であって、
前記第１ＯＦＤＭ信号の３セグメントを受信する第１受信モードと、前記第１及び第２ＯＦＤＭ信号の各１セグメントを受信する第２受信モードを含む複数の受信モードのいずれか１つを設定する受信モード設定回路と、
前記受信モード設定回路が設定した受信モードに応じて、前記第１及び第２ＯＦＤＭ信号の各セグメントを選択的にＯＦＤＭ復調する復調回路と、
前記第２受信モード時に、前記復調回路によってＯＦＤＭ復調された前記第１及び第２ＯＦＤＭ信号をダイバーシティ受信するダイバーシティ受信回路とを備え、
前記復調回路は、それぞれ異なるセグメントをＯＦＤＭ復調する第１〜第３セグメント復調回路を備え、
前記第１受信モード時には、前記第１〜第３セグメント復調回路に前記第１ＯＦＤＭ信号の３セグメントが入力され、
前記第２受信モード時には、前記第１〜第３セグメント復調回路のうちのいずれか２つに前記第１及び第２ＯＦＤＭ信号の各１セグメントが入力され、
前記ダイバーシティ受信回路は、前記第１受信モード時に、ＯＦＤＭ復調後の前記第１
ＯＦＤＭ信号の３セグメントを結合することを要旨とする。
【００１２】
本発明の第２の特徴は、第１の特徴に係るＯＦＤＭ受信装置において、それぞれ複数のセグメントに分割された第１及び第２ＯＦＤＭ信号を含む複数のＯＦＤＭ信号を受信するＯＦＤＭ受信装置であって、
前記第１ＯＦＤＭ信号の３セグメントを受信する第１受信モードと、前記第１及び第２ＯＦＤＭ信号の各１セグメントを受信する第２受信モードを含む複数の受信モードのいずれか１つを設定する受信モード設定回路と、
前記受信モード設定回路が設定した受信モードに応じて、前記第１及び第２ＯＦＤＭ信号の各セグメントを選択的にＯＦＤＭ復調する復調回路と、
前記第２受信モード時に、前記復調回路によってＯＦＤＭ復調された前記第１及び第２ＯＦＤＭ信号をダイバーシティ受信するダイバーシティ受信回路とを備え、
前記復調回路は、前記第１受信モード時に、前記第１ＯＦＤＭ信号の３セグメントをＯＦＤＭ復調し、前記第２受信モード時に、前記第１ＯＦＤＭ信号の１セグメントをＯＦＤＭ復調する第１セグメント復調回路と、前記第２受信モード時に、前記第２ＯＦＤＭ信号の１セグメントをＯＦＤＭ復調する第２セグメント復調回路とを備え、
前記ダイバーシティ受信回路は、前記第１受信モード時に、ＯＦＤＭ復調後の前記第１
ＯＦＤＭ信号の３セグメントを結合することを要旨とする。
【００１３】
本発明の第３の特徴は、第１の特徴に係るＯＦＤＭ受信装置において、復調回路は、第１受信モード時に、第１ＯＦＤＭ信号の３セグメントをＯＦＤＭ復調し、第２受信モード時に、第１ＯＦＤＭ信号の１セグメントをＯＦＤＭ復調する第１セグメント復調回路と、第２受信モード時に、第２ＯＦＤＭ信号の１セグメントをＯＦＤＭ復調する第２セグメント復調回路とを備えることを要旨とする。
【００１４】
本発明の第４の特徴は、それぞれ複数のセグメントに分割された第１及び第２ＯＦＤＭ信号を含む複数のＯＦＤＭ信号をそれぞれ受信する複数のアンテナと、
前記複数のアンテナが受信した複数のＯＦＤＭ信号を所定の周波数帯域にそれぞれ制限する複数のチューナと、
前記所定の周波数帯域に制限された複数のＯＦＤＭ信号をそれぞれデジタル化する複数のＡ／Ｄ変換器と、
前記デジタル化された第１ＯＦＤＭ信号の３セグメントを受信する第１受信モードと、前記デジタル化された第１及び第２ＯＦＤＭ信号の各１セグメントを受信する第２受信モードを含む複数の受信モードのいずれか１つを設定する受信モード設定回路と、
前記受信モード設定回路が設定した受信モードに応じて、前記第１及び第２ＯＦＤＭ信号の各セグメントを選択的にＯＦＤＭ復調する復調回路と、
前記第２受信モード時に、前記復調回路によってＯＦＤＭ復調された前記第１及び第２ＯＦＤＭ信号をダイバーシティ受信するダイバーシティ受信回路と、
前記ＯＦＤＭ復調後の前記第１及び第２受信信号に基づき、映像の表示又は音声の出力の少なくとも一方を行う出力装置とを備える地上デジタル放送受信端末において、
前記復調回路は、それぞれ異なるセグメントをＯＦＤＭ復調する第１〜第３セグメント復調回路を備え、
前記第１受信モード時には、前記第１〜第３セグメント復調回路に前記第１ＯＦＤＭ信号の３セグメントが入力され、
前記第２受信モード時には、前記第１〜第３セグメント復調回路のうちのいずれか２つに前記第１及び第２ＯＦＤＭ信号の各１セグメントが入力され、
前記ダイバーシティ受信回路は、前記第１受信モード時に、ＯＦＤＭ復調後の前記第１
ＯＦＤＭ信号の３セグメントを結合することを要旨とする。
【００１５】
本発明の第５の特徴は、それぞれ複数のセグメントに分割された第１及び第２ＯＦＤＭ信号を含む複数のＯＦＤＭ信号をそれぞれ受信する複数のアンテナと、
前記複数のアンテナが受信した複数のＯＦＤＭ信号を所定の周波数帯域にそれぞれ制限する複数のチューナと、
前記所定の周波数帯域に制限された複数のＯＦＤＭ信号をそれぞれデジタル化する複数のＡ／Ｄ変換器と、
前記デジタル化された第１ＯＦＤＭ信号の３セグメントを受信する第１受信モードと、前記デジタル化された第１及び第２ＯＦＤＭ信号の各１セグメントを受信する第２受信モードを含む複数の受信モードのいずれか１つを設定する受信モード設定回路と、
前記受信モード設定回路が設定した受信モードに応じて、前記第１及び第２ＯＦＤＭ信号の各セグメントを選択的にＯＦＤＭ復調する復調回路と、
前記第２受信モード時に、前記復調回路によってＯＦＤＭ復調された前記第１及び第２ＯＦＤＭ信号をダイバーシティ受信するダイバーシティ受信回路と、
前記ＯＦＤＭ復調後の前記第１及び第２受信信号に基づき、映像の表示又は音声の出力の少なくとも一方を行う出力装置とを備える地上デジタル放送受信端末において、
前記復調回路は、前記第１受信モード時に、前記第１ＯＦＤＭ信号の３セグメントをＯＦＤＭ復調し、前記第２受信モード時に、前記第１ＯＦＤＭ信号の１セグメントをＯＦＤＭ復調する第１セグメント復調回路と、前記第２受信モード時に、前記第２ＯＦＤＭ信号の１セグメントをＯＦＤＭ復調する第２セグメント復調回路とを備え、
前記ダイバーシティ受信回路は、前記第１受信モード時に、ＯＦＤＭ復調後の前記第１
ＯＦＤＭ信号の３セグメントを結合することを要旨とする。
【００１６】
本発明の第６の特徴は、それぞれ複数のセグメントに分割された第１及び第２ＯＦＤＭ信号を含む複数のＯＦＤＭ信号を所定の周波数帯域にそれぞれ制限する複数のチューナと、
前記所定の周波数帯域に制限された複数のＯＦＤＭ信号をそれぞれデジタル化する複数のＡ／Ｄ変換器と、
前記デジタル化された第１ＯＦＤＭ信号の３セグメントを受信する第１受信モードと、前記デジタル化された第１及び第２ＯＦＤＭ信号の各１セグメントを受信する第２受信モードを含む複数の受信モードのいずれか１つを設定する受信モード設定回路と、
前記受信モード設定回路が設定した受信モードに応じて、前記第１及び第２ＯＦＤＭ信号の各セグメントを選択的にＯＦＤＭ復調する復調回路と、
前記第２受信モード時に、前記復調回路によってＯＦＤＭ復調された前記第１及び第２ＯＦＤＭ信号をダイバーシティ受信するダイバーシティ受信回路
とを備える地上デジタル放送受信チューナにおいて、
前記復調回路は、それぞれ異なるセグメントをＯＦＤＭ復調する第１〜第３セグメント復調回路を備え、
前記第１受信モード時に、前記第１〜第３セグメント復調回路に前記第１ＯＦＤＭ信号の３セグメントが入力され、
前記第２受信モード時に、前記第１〜第３セグメント復調回路のうちのいずれか２つに前記第１及び第２ＯＦＤＭ信号の各１セグメントが入力され、
前記ダイバーシティ受信回路は、前記第１受信モード時に、ＯＦＤＭ復調後の前記第１
ＯＦＤＭ信号の３セグメントを結合することを要旨とする。
【００１７】
本発明の第７の特徴は、それぞれ複数のセグメントに分割された第１及び第２ＯＦＤＭ信号を含む複数のＯＦＤＭ信号を所定の周波数帯域にそれぞれ制限する複数のチューナと、
前記所定の周波数帯域に制限された複数のＯＦＤＭ信号をそれぞれデジタル化する複数のＡ／Ｄ変換器と、
前記デジタル化された第１ＯＦＤＭ信号の３セグメントを受信する第１受信モードと、前記デジタル化された第１及び第２ＯＦＤＭ信号の各１セグメントを受信する第２受信モードを含む複数の受信モードのいずれか１つを設定する受信モード設定回路と、
前記受信モード設定回路が設定した受信モードに応じて、前記第１及び第２ＯＦＤＭ信号の各セグメントを選択的にＯＦＤＭ復調する復調回路と、
前記第２受信モード時に、前記復調回路によってＯＦＤＭ復調された前記第１及び第２ＯＦＤＭ信号をダイバーシティ受信するダイバーシティ受信回路とを備える地上デジタル放送受信チューナにおいて、
前記復調回路は、前記第１受信モード時に、前記第１ＯＦＤＭ信号の３セグメントをＯＦＤＭ復調し、前記第２受信モード時に、前記第１ＯＦＤＭ信号の１セグメントをＯＦＤＭ復調する第１セグメント復調回路と、前記第２受信モード時に、前記第２ＯＦＤＭ信号の１セグメントをＯＦＤＭ復調する第２セグメント復調回路とを備え、
前記ダイバーシティ受信回路は、前記第１受信モード時に、ＯＦＤＭ復調後の前記第１
ＯＦＤＭ信号の３セグメントを結合することを要旨とする。
【発明の効果】
【００１８】
本発明によれば、回路規模の増大を抑制しつつ、受信性能を改善可能なＯＦＤＭ受信装置、地上デジタル放送受信端末、及び地上デジタル放送受信チューナを提供できる。
【発明を実施するための最良の形態】
【００１９】
次に、図面を参照して、本発明の第１及び第２実施形態を説明する。以下の第１及び第２実施形態における図面の記載において、同一又は類似の部分には同一又は類似の符号を付している。
【００２０】
（第１実施形態）
本発明の第１実施形態においては、８個又は１３個のセグメントを使用するデジタル音声放送を受信可能であり、１セグメントを受信する「１セグメント受信」と、３セグメントを受信する「３セグメント受信」のいずれかを実行するデジタル放送受信端末について説明する。第１実施形態に係るデジタル放送受信端末は、図１に示すように、第１及び第２アンテナ１ａ，１ｂと、第１及び第２アンテナ１ａ，１ｂにそれぞれ接続された第１及び第２チューナ２ａ，２ｂと、第１及び第２チューナ２ａ，２ｂの出力にそれぞれ接続された第１及び第２アナログ／デジタル（Ａ／Ｄ）変換器３ａ，３ｂと、第１Ａ／Ｄ変換器３ａの出力に接続された分岐回路４ａと、分岐回路４ａ及び第２Ａ／Ｄ変換器３ｂの出力に接続された復調回路１００ａと、復調回路１００ａの出力に接続されたダイバーシティ受信回路８ａと、ダイバーシティ受信回路８ａの出力に接続された誤り訂正回路９と、第１及び第２チューナ２ａ，２ｂ、分岐回路４ａ、復調回路１００ａ、ダイバーシティ受信回路８ａ、及び誤り訂正回路９に接続された受信モード設定回路１０ａとを備える。地上デジタル放送受信端末は、映像の表示又は音声の出力の少なくとも一方を行う出力装置（図示省略）を更に備えている。出力装置は、ＭＰＥＧデコーダと、ディスプレイ又はスピーカ等を備えている。
【００２１】
第１及び第２アンテナ１ａ，１ｂは、互いに異なる指向性を有している。携帯端末等では機器サイズの制限から、車載用ダイバーシティのように半波長以上の距離を隔てて同一特性のアンテナを複数搭載することは困難である。ダイバーシティ受信において、指向性の異なるアンテナを用いた場合、ブランチ間では、違う方向からの信号を受信することになる。その結果、ブランチ間の受信信号は無相関の関係となり、ダイバーシティ効果（指向ダイバーシティ効果）が得られる。
【００２２】
第１チューナ２ａは、第１アンテナ１ａが受信した第１ＯＦＤＭ信号を中間周波（ＩＦ）信号に変換し、所定の周波数帯域に制限する。第２チューナ２ｂは、第２アンテナ１ｂが受信した第２ＯＦＤＭ信号をＩＦ信号に変換し、所定の周波数帯域に制限する。詳細には第１チューナ２ａは、例えば、第１アンテナ１ａに接続された高周波（ＲＦ）信号処理回路と、ＲＦ信号処理回路の出力に接続されたＩＦ信号処理回路等を備える。
【００２３】
更に、第１チューナ２ａに設けられるＩＦ信号処理回路には、第１ＯＦＤＭ信号の各セグメントのうち１セグメント又は３セグメント分の周波数帯域を抽出するため、２系統のＩＦフィルタが設けられている。これに対して第２チューナ２ｂに設けられるＩＦ信号処理回路には、第２ＯＦＤＭ信号の各セグメントのうち１セグメント分の周波数帯域を抽出するため、１系統のＩＦフィルタが設けられている。
【００２４】
受信モード設定回路１０ａは、３セグメント受信時には３セグメント分のＩＦ信号を抽出するよう第１チューナ２ａを制御し、１セグメント受信時には１セグメント分のＩＦ信号を抽出するよう第１チューナ２ａを制御する。また、受信モード設定回路１０ａは、３セグメント受信時には第２チューナ２ｂの動作を停止させる。
【００２５】
第１Ａ／Ｄ変換器３ａは、第１チューナ２ａからの帯域制限された第１アナログＯＦＤＭ信号ＡＳ１を第１デジタルＯＦＤＭ信号ＢＳに変換する。第２Ａ／Ｄ変換器３ｂは、第２チューナ２ｂからの帯域制限された第２アナログＯＦＤＭ信号ＡＳ２を第２デジタルＯＦＤＭ信号に変換する。
【００２６】
分岐回路４ａは、第１Ａ／Ｄ変換器３ａから得られた第１デジタルＯＦＤＭ信号ＢＳをヒルベルト変換することで、同相成分から直交成分を導出し、第１複素ＯＦＤＭ信号ＣＳを生成する。
【００２７】
受信モード設定回路１０ａは、３セグメント受信時に、第１複素ＯＦＤＭ信号ＣＳを３つに分岐するよう分岐回路４ａを制御する。なお、第２Ａ／Ｄ変換器３ｂから得られた第２デジタルＯＦＤＭ信号についても、図示を省略するヒルベルト変換器によって同相成分から直交成分が導出される。
【００２８】
復調回路１００ａは、分岐回路４ａとダイバーシティ受信回路８ａとの間に並列に接続された複数の（第１〜第３）セグメント復調回路２０ａ〜２０ｃを備える。第１〜第３セグメント復調回路２０ａ〜２０ｃは、３セグメント受信時において、第１複素ＯＦＤＭ信号ＣＳからそれぞれ異なるセグメントを抽出し、抽出したセグメントをＯＦＤＭ復調する。ここで、「ＯＦＤＭ復調」とは、シンボル同期、周波数同期、及びクロック同期を確立するとともに、ＦＦＴを用いて時間領域から周波数領域へ受信信号を変換したのち、サブキャリアに割り当てられている信号を等化する処理を意味する。
【００２９】
また、第１セグメント復調回路２０ａは、１セグメント受信時及び３セグメント受信時において、最も高い受信品質の要求されるＡ階層のセグメントである「基本セグメント」を復調する。これに対して第２セグメント復調回路２０ｂ及び第３セグメント復調回路２０ｃは、３セグメント受信時において、要求される受信品質がＡ階層よりも低いＢ階層のセグメントである「第１拡張セグメント」及び「第２拡張セグメント」をそれぞれ復調する。
【００３０】
受信モード設定回路１０ａは、３セグメント受信時に、第１〜第３セグメント復調回路２０ａ〜２０ｃのすべてを動作させる。これに対して１セグメント受信時には、受信モード設定回路１０ａは、第１及び第２セグメント復調回路２０ａ，２０ｂを動作させ、第３セグメント復調回路２０ｃの動作を停止させる。
【００３１】
第１セグメント復調回路２０ａは、分岐回路４ａの出力に接続された第１バンドパスフィルタ（ＢＰＦ）５ａと、第１ＢＰＦ５ａの出力に接続された第１周波数変換回路６ａと、第１周波数変換回路６ａ及びダイバーシティ受信回路８ａ間に接続された第１ＯＦＤＭ復調回路７ａとを備える。第１ＢＰＦ５ａは、第１複素ＯＦＤＭ信号ＣＳから基本セグメントの周波数帯域成分ＤＳを抽出する。第１周波数変換回路６ａは、基本セグメントの周波数帯域成分ＤＳをベースバンド信号ＥＳに変換する。第１ＯＦＤＭ復調回路７ａは、第１周波数変換回路６ａが出力するベースバンド信号ＥＳをＯＦＤＭ復調する。
【００３２】
第２セグメント復調回路２０ｂは、分岐回路４ａの出力に接続された第２ＢＰＦ５ｂと、第２ＢＰＦ５ｂの出力に接続された第２周波数変換回路６ｂと、第２Ａ／Ｄ変換器３ｂの出力に接続された第３周波数変換回路６０と、第２及び第３周波数変換回路６ｂ，６０の出力に接続された第２ＯＦＤＭ復調回路７ｂとを備える。第２ＢＰＦ５ｂは、３セグメント受信時において、第１複素ＯＦＤＭ信号ＣＳから第１拡張セグメントの周波数帯域成分ＦＳを抽出する。第２周波数変換回路６ｂは、第１拡張セグメントの周波数帯域成分ＦＳをベースバンド信号ＧＳに変換する。
【００３３】
第３周波数変換回路６０は、第１周波数変換回路６ａと同様の特性を有している。第３周波数変換回路６０は、第２ＯＦＤＭ信号の基本セグメントの周波数帯域成分である第２複素ＯＦＤＭ信号ＫＳ２をベースバンド信号ＬＳに変換する。第２ＯＦＤＭ復調回路７ｂは、第２周波数変換回路６ｂが出力するベースバンド信号ＧＳ又は第３周波数変換回路６０が出力するベースバンド信号ＬＳをＯＦＤＭ復調する。
【００３４】
第３セグメント復調回路２０ｃは、分岐回路４ａの出力に接続された第３ＢＰＦ５ｃと、第３ＢＰＦ５ｃの出力に接続された第４周波数変換回路６ｃと、第４周波数変換回路６ｃ及びダイバーシティ受信回路８ａ間に接続された第３ＯＦＤＭ復調回路７ｃとを備える。第３ＢＰＦ５ｃは、複素ＯＦＤＭ信号ＣＳから第２拡張セグメントの周波数帯域成分ＨＳを抽出する。第４周波数変換回路６ｃは、第２拡張セグメントの周波数帯域成分ＨＳをベースバンド信号ＩＳに変換する。第３ＯＦＤＭ復調回路７ｃは、第４周波数変換回路６ｃが出力するベースバンド信号ＩＳをＯＦＤＭ復調する。
【００３５】
ダイバーシティ受信回路８ａは、１セグメント受信時に、第１及び第２ＯＦＤＭ復調回路７ａ，７ｂが出力する第１及び第２ＯＦＤＭ信号の復調信号をダイバーシティ受信する。ここで「ダイバーシティ受信」とは、第１及び第２ＯＦＤＭ信号のうち受信レベルの大きい方を選択する選択ダイバーシティ、又は第１及び第２ＯＦＤＭ信号の各復調信号を合成する合成ダイバーシティ等を意味する。ただし、後述するように、１セグメント受信時にダイバーシティ受信を行わない受信モードを設けても構わない。また、ダイバーシティ受信回路８ａは、３セグメント受信時に、第１〜第３ＯＦＤＭ復調回路７ａ〜７ｃが復調した各セグメントを結合する。
【００３６】
誤り訂正回路９は、ダイバーシティ受信回路８ａの出力信号ＪＳに対してデインターリーブ処理、ビタビ復号、及びリードソロモン復号等を行い、ＭＰＥＧ２−トランスポート・ストリーム（ＴＳ）信号を生成する。なお、デインターリーブ処理とは、伝送路での歪み等により発生した信号誤りを除去するために送信側で施した各種インターリーブ処理を戻す処理である。
【００３７】
上述したように、各セグメントの階層に応じて異なる変調及び誤り訂正が行われているため、受信モード設定回路１０ａは、３セグメント受信時にはＡ階層（基本セグメント）及びＢ階層（第１及び第２拡張セグメント）に対して階層毎に異なるデインターリーブやビタビ復号等を実行し、１グメント受信時にはＡ階層（基本セグメント）に対応する誤り訂正を実行するよう誤り訂正回路９を制御する。
【００３８】
受信モード設定回路１０ａは、第１及び第２チューナ２ａ，２ｂ、分岐回路４ａ、第１〜第３セグメント復調回路２０ａ〜２０ｃ、ダイバーシティ受信回路８ａ、及び誤り訂正回路９に対して制御データを設定することで、第１及び第２チューナ２ａ，２ｂ、分岐回路４ａ、第１〜第３セグメント復調回路２０ａ〜２０ｃ、ダイバーシティ受信回路８ａ、及び誤り訂正回路９のそれぞれの動作を制御する。制御データは、例えば表１に示すような複数のパラメータの組み合わせからなる。
【表１】
0004740012.tif 000002
【００３９】
表１において「第１受信モード」とは、第１アンテナ１ａを用いて３セグメント受信する受信モードである。「第２受信モード」とは、第１及び第２アンテナ１ａ，１ｂを用いて１セグメント受信するとともにダイバーシティ受信する受信モードである。「第３受信モード」とは、第２アンテナ１ｂを用いて１セグメント受信する受信モードである。
【００４０】
受信モード設定回路１０ａは、３セグメント受信を実行可能な場合には優先的に第１受信モードに設定するが、３セグメント受信を実行可能な場合であっても、ユーザからの入力操作等により第２又は第３受信モードに設定しても良い。あるいは、受信モード設定回路１０ａは、バッテリ残量を監視し、バッテリ残量が一定量以下となった場合に３セグメント受信から１セグメント受信に切り替えるように構成されていても良い。なお、ＯＦＤＭ信号に多重されている伝送制御信号（ＴＭＣＣ信号）を参照することにより、３セグメント受信を実行可能であるか否かの判断を自動的に行うことが可能である。
【００４１】
１セグメント受信する際にはダイバーシティ受信を行うか否かを選択可能であるが、受信レベル、ビット誤り率（ＢＥＲ）、及びバッテリ残量等を考慮してダイバーシティ受信を行うか否かを選択することが好ましい。例えば、ダイバーシティ受信を行うことで消費電力が増加するため、受信状態が良好である場合にダイバーシティ受信を行わない「第３受信モード」を設定し、受信状態が悪化した場合にダイバーシティ受信を行う「第２受信モード」に切り替えるように構成される。あるいは、１セグメント受信する際には通常は第２受信モードに設定し、バッテリ残量が一定量以下となった場合に第３受信モードに切り替えるように構成されていても良い。
【００４２】
更に、第１アンテナ１ａとしてホイップアンテナを使用し、第２アンテナ１ｂとして着脱可能なイヤホンアンテナを使用する場合、第２アンテナ１ｂが装着されているときにのみ、ダイバーシティ受信を行う「第２受信モード」に切り替え可能なように構成される。ここで「ホイップアンテナ」とは、携帯電話端末で一般的に使用されるアンテナであり、伸縮可能な場合が多い。「イヤホンアンテナ」とは、イヤホン機能とアンテナ機能を同時に備えたアンテナである。
【００４３】
図１の第１〜第３ＯＦＤＭ復調回路７ａ〜７ｃの内部構成例を図２に示す。第１ＯＦＤＭ復調回路７ａは、ベースバンド信号ＥＳをＦＦＴ処理する第１ＦＦＴ回路７１ａと、第１ＦＦＴ回路７１ａの出力信号を等化する第１等化回路７２ａとを備える。同様に、第２ＯＦＤＭ復調回路７ｂは、ベースバンド信号ＧＳをＦＦＴ処理する第２ＦＦＴ回路７１ｂと、第２ＦＦＴ回路７１ｂの出力信号を等化する第２等化回路７２ｂとを備える。第３ＯＦＤＭ復調回路７ｃは、ベースバンド信号ＩＳをＦＦＴ処理する第３ＦＦＴ回路７１ｃと、第３ＦＦＴ回路７１ｃの出力信号を等化する第３等化回路７２ｃとを備える。
【００４４】
図２に示す第１〜第３ＦＦＴ回路７１ａ〜７１ｃのそれぞれは、１セグメントについてのＦＦＴを実行可能な最小限のポイント数、すなわち５１２ポイントを有しており、第１〜第３ＦＦＴ回路７１ａ〜７１ｃの合計ポイント数は１５３６ポイントである。したがって、３セグメントについてのＦＦＴを実行可能な最小限のポイント数、すなわち２０４８ポイントのＦＦＴ回路を１つ使用する場合と比較して、５１２ポイント分の冗長部を削減している。
【００４５】
次に、図３に示すフローチャートを参照して、第１実施形態に係るＯＦＤＭ受信装置の動作を説明する。
【００４６】
（Ａ）先ず、第１受信モード時の動作について説明する。図１に示すＯＦＤＭ受信装置における各信号の周波数配置例を図４〜図６に示す。
【００４７】
ステップＳ１０１において、受信モード設定回路１０ａは、ダイバーシティ受信を行わないと判定し、ステップＳ１１０に処理が進む。
【００４８】
ステップＳ１１０において、受信モード設定回路１０ａは、１セグメント受信ではないと判定し、ステップＳ１２２に処理が進む。
【００４９】
ステップＳ１２２において、受信モード設定回路１０ａは、第１及び第２チューナ２ａ，２ｂ、分岐回路４ａ、第１〜第３セグメント復調回路２０ａ〜２０ｃ、ダイバーシティ受信回路８ａ、及び誤り訂正回路９を第１受信モードに設定する。
【００５０】
ステップＳ１２３において、第１チューナ２ａは、第１ＯＦＤＭ信号をＲＦ帯からＩＦ帯へダウンコンバートするとともに３セグメント（基本セグメント、第１拡張セグメント、及び第２拡張セグメント）分の周波数帯域制限を行う。この結果、第１チューナ２ａは、図４（ａ）に示す周波数配置を有する第１アナログＯＦＤＭ信号ＡＳ１を出力する。図４（ａ）においては、基本セグメントがＩＦ中心周波数に配置され、第１拡張セグメントが基本セグメントの低周波数側に隣接配置され、第２拡張セグメントが基本セグメントの高周波数側に隣接配置されている。第１アナログＯＦＤＭ信号ＡＳ１は第１Ａ／Ｄ変換器３ａによって第１デジタルＯＦＤＭ信号ＢＳに変換される。更に、分岐回路４ａは、第１デジタルＯＦＤＭ信号ＢＳを第１複素ＯＦＤＭ信号ＣＳに変換するとともに３系統に分岐する。
【００５１】
ステップＳ１２４において、図５（ａ）に示すように、第１複素ＯＦＤＭ信号ＣＳから基本セグメントの周波数帯域成分ＤＳが第１ＢＰＦ５ａによって抽出され、基本セグメントの周波数帯域成分ＤＳが第１周波数変換回路６ａによってベースバンド信号ＥＳに変換される。また、図５（ｂ）に示すように、第１複素ＯＦＤＭ信号ＣＳから第１拡張セグメントの周波数帯域成分ＦＳが第２ＢＰＦ５ｂによって抽出され、第１拡張セグメントの周波数帯域成分ＦＳが第２周波数変換回路６ｂによってベースバンド信号ＧＳに変換される。図５（ｃ）に示すように、第１複素ＯＦＤＭ信号ＣＳから第２拡張セグメントの周波数帯域成分ＨＳが第３ＢＰＦ５ｃによって抽出され、第２拡張セグメントの周波数帯域成分ＨＳが第４周波数変換回路６ｃによってベースバンド信号ＩＳに変換される。更に、第１〜第３ＯＦＤＭ復調回路７ａ〜７ｃは、ベースバンド信号ＥＳ，ＧＳ，及びＩＳをそれぞれＯＦＤＭ復調する。
【００５２】
ステップＳ１２５において、ダイバーシティ受信回路８ａは、図６に示すように、セグメント毎に分離されている復調信号を結合し、復調信号ＪＳとして出力する。
【００５３】
ステップＳ１２６において、誤り訂正回路９は、復調信号ＪＳを階層毎に誤り訂正し、ＭＰＥＧ２−ＴＳ信号を生成する。
【００５４】
（Ｂ）次に、第２受信モード時の動作について説明する。図１に示すＯＦＤＭ受信装置における各信号の周波数配置例を図７に示す。
【００５５】
ステップＳ１０１において、受信モード設定回路１０ａは、ダイバーシティ受信を行うと判定し、ステップＳ１０２に処理が進む。
【００５６】
ステップＳ１０２において、受信モード設定回路１０ａは、第１及び第２チューナ２ａ，２ｂ、分岐回路４ａ、第１〜第３セグメント復調回路２０ａ〜２０ｃ、ダイバーシティ受信回路８ａ、及び誤り訂正回路９を第２受信モードに設定する。
【００５７】
ステップＳ１０３において、第１チューナ２ａは、第１ＯＦＤＭ信号をＲＦ帯からＩＦ帯へダウンコンバートするとともに第１ＯＦＤＭ信号の１セグメント（基本セグメント）分の周波数帯域制限を行う。第２チューナ２ｂは、第２ＯＦＤＭ信号をＲＦ帯からＩＦ帯へダウンコンバートするとともに第２ＯＦＤＭ信号の１セグメント（基本セグメント）分の周波数帯域制限を行う。この結果、第１及び第２チューナ２ａ，２ｂは、図７（ａ）に示す周波数配置を有する第１及び第２アナログＯＦＤＭ信号ＡＳ１，ＡＳ２をそれぞれ出力する。第１及び第２アナログＯＦＤＭ信号ＡＳ１，ＡＳ２は、第１及び第２Ａ／Ｄ変換器３ａ及び３ｂによってデジタルＯＦＤＭ信号に変換される。変換された各デジタルＯＦＤＭ信号は、図７（ｂ）に示すように、第１及び第２複素ＯＦＤＭ信号ＣＳ，ＫＳ２に更に変換される。
【００５８】
ステップＳ１０４において、図７（ｃ）に示すように、第１周波数変換回路６ａは第１複素ＯＦＤＭ信号ＣＳをベースバンド信号ＥＳに変換する。また、第３周波数変換回路６０は第２複素ＯＦＤＭ信号ＫＳ２をベースバンド信号ＬＳに変換する。第１及び第２ＯＦＤＭ復調回路７ａ，７ｂは、ベースバンド信号ＥＳ，ＬＳをそれぞれＯＦＤＭ復調する。
【００５９】
ステップＳ１０５において、ダイバーシティ受信回路８ａは、第１及び第２ＯＦＤＭ復調回路７ａ，７ｂが出力する第１及び第２ＯＦＤＭ信号の復調信号をダイバーシティ受信する。
【００６０】
ステップＳ１０６において、誤り訂正回路９は、復調信号ＪＳに対してＡ階層についてのみの誤り訂正を実行し、ＭＰＥＧ２−ＴＳ信号を生成する。
【００６１】
（Ｃ）次に、第３受信モード時の動作について説明する。ただし、第２受信モード時と同様の動作については重複する説明を省略する。
【００６２】
ステップＳ１０１において、受信モード設定回路１０ａは、ダイバーシティ受信を行わないと判定し、ステップＳ１１０に処理が進む。
【００６３】
ステップＳ１１０において、受信モード設定回路１０ａは、１セグメント受信すると判定し、ステップＳ１１２に処理が進む。
【００６４】
ステップＳ１１２において、受信モード設定回路１０ａは、第１及び第２チューナ２ａ，２ｂ、分岐回路４ａ、第１〜第３セグメント復調回路２０ａ〜２０ｃ、ダイバーシティ受信回路８ａ、及び誤り訂正回路９を第３受信モードに設定する。
【００６５】
ステップＳ１１３において、第１チューナ２ａは、第１ＯＦＤＭ信号をＲＦ帯からＩＦ帯へダウンコンバートするとともに第１ＯＦＤＭ信号の１セグメント（基本セグメント）分の周波数帯域制限を行う。
【００６６】
ステップＳ１１４において、第１周波数変換回路６ａは第１複素ＯＦＤＭ信号ＣＳをベースバンド信号ＥＳに変換する。第１ＯＦＤＭ復調回路７ａは、ベースバンド信号ＥＳをＯＦＤＭ復調する。
【００６７】
ステップＳ１１５において、ダイバーシティ受信回路８ａは、第１ＯＦＤＭ復調回路７ａが出力する第１ＯＦＤＭ信号の復調信号を、誤り訂正回路９へ出力するためのタイミング調整を行う。
【００６８】
ステップＳ１１６において、誤り訂正回路９は、復調信号ＪＳに対してＡ階層についてのみの誤り訂正を実行し、ＭＰＥＧ２−ＴＳ信号を生成する。
【００６９】
以上詳細に説明したように、第１実施形態によれば、３セグメント受信を可能としながらも、デジタル音声放送において、使用頻度が高く重要な１セグメント受信時にのみダイバーシティ受信を実行可能としている。この結果、大規模な回路を必要とせず、携帯端末のような小さな筐体に搭載することを可能としている。したがって、回路規模の増大を抑制しつつ、受信性能を改善可能なＯＦＤＭ受信装置を提供できる。
【００７０】
（第２実施形態）
本発明の第２実施形態においては、図８に示すように、第１実施形態とは復調回路１００ｂの構成が異なる。以下の第２実施形態の説明においては、第１実施形態と異なる点について主に説明し、重複する説明を省略する。
【００７１】
第２実施形態に係るＯＦＤＭ受信装置は、図８に示すように、復調回路１００ｂが、第１受信モード時に、第１ＯＦＤＭ信号（第１複素ＯＦＤＭ信号ＣＳ１）の３セグメントをＯＦＤＭ復調し、第２受信モード時に、第１ＯＦＤＭ信号（第１複素ＯＦＤＭ信号ＣＳ１）の１セグメントをＯＦＤＭ復調する第１セグメント復調回路２００ａと、第２受信モード時に、第２ＯＦＤＭ信号（第２複素ＯＦＤＭ信号ＣＳ２）の１セグメントをＯＦＤＭ復調する第２セグメント復調回路２００ｂとを備える点で、図１とは異なっている。また、図８に示すＯＦＤＭ受信装置は、図１に示した分岐回路４ａを具備していない。すなわち、第１セグメント復調回路２００ａは、３セグメント受信時に、３つのセグメントを復調可能なように構成されている。
【００７２】
具体的には、第１セグメント復調回路２００ａは、図示を省略するヒルベルト変換器を介して第１Ａ／Ｄ変換器３ａの出力に接続された第１ＢＰＦ５００ａと、第１ＢＰＦ５００ａの出力に接続された第１周波数変換回路６００と、第１周波数変換回路６００及びダイバーシティ受信回路８ｂ間に接続された第１ＯＦＤＭ復調回路７０とを備える。第１周波数変換回路６００は、１セグメント（基本セグメント）又は３セグメント（基本セグメント、第１拡張セグメント、第２拡張セグメント）をベースバンド信号ＤＳ１に変換する。第１ＯＦＤＭ復調回路７０は、第１周波数変換回路６００が出力するベースバンド信号ＤＳ１をＯＦＤＭ復調する。
【００７３】
第２セグメント復調回路２００ｂは、図示を省略するヒルベルト変換器を介して第２Ａ／Ｄ変換器３ｂの出力に接続された第２ＢＰＦ５００ｂと、第２ＢＰＦ５００ｂの出力に接続された第２周波数変換回路６ｂと、第２周波数変換回路６ｂの出力に接続された第２ＯＦＤＭ復調回路７ｂとを備える。第２周波数変換回路６ｂは、１セグメント（基本セグメント）をベースバンド信号ＤＳ２に変換する。第２ＯＦＤＭ復調回路７ｂは、第２周波数変換回路６ｂが出力するベースバンド信号ＤＳ２をＯＦＤＭ復調する。
【００７４】
受信モード設定回路１０ｂは、第１及び第２チューナ２ａ，２ｂ、第１及び第２セグメント復調回路２００ａ，２００ｂ、ダイバーシティ受信回路８ｂ、及び誤り訂正回路９に対して制御データを設定することで、第１及び第２チューナ２ａ，２ｂ、第１及び第２セグメント復調回路２００ａ，２００ｂ、ダイバーシティ受信回路８ｂ、及び誤り訂正回路９のそれぞれの動作を制御する。制御データは、例えば表２に示すような複数のパラメータの組み合わせからなる。
【表２】
0004740012.tif 000003
【００７５】
更に、第１アンテナ１ａとしてホイップアンテナを使用し、第２アンテナ１ｂとしてイヤホンアンテナを使用する場合、第２アンテナ１ｂが装着されているときにのみ、ダイバーシティ受信を行う「第２受信モード」に切り替え可能なように構成される。
【００７６】
次に、図９に示すフローチャートを参照して、第２実施形態に係るＯＦＤＭ受信装置の動作を説明する。
【００７７】
（Ａ）先ず、第１受信モード時の動作について説明する。図８に示すＯＦＤＭ受信装置における各信号の周波数配置例を図１０に示す。
【００７８】
ステップＳ２０１において、受信モード設定回路１０ｂは、ダイバーシティ受信を行わないと判定し、ステップＳ２１０に処理が進む。
【００７９】
ステップＳ２１０において、受信モード設定回路１０ｂは、１セグメント受信ではないと判定し、ステップＳ２２２に処理が進む。
【００８０】
ステップＳ２２２において、受信モード設定回路１０ｂは、第１及び第２チューナ２ａ，２ｂ、第１及び第２セグメント復調回路２００ａ，２００ｂ、ダイバーシティ受信回路８ｂ、及び誤り訂正回路９を第１受信モードに設定する。
【００８１】
ステップＳ２２３において、第１チューナ２ａは、第１ＯＦＤＭ信号をＲＦ帯からＩＦ帯へダウンコンバートするとともに３セグメント（基本セグメント、第１拡張セグメント、及び第２拡張セグメント）分の周波数帯域制限を行う。この結果、第１チューナ２ａは、図１０（ａ）に示す周波数配置を有する第１アナログＯＦＤＭ信号ＡＳ１を出力する。第１アナログＯＦＤＭ信号ＡＳ１は第１Ａ／Ｄ変換器３ａによって第１デジタルＯＦＤＭ信号に変換される。更に、第１デジタルＯＦＤＭ信号は、図１０（ｂ）に示すように、第１複素ＯＦＤＭ信号ＣＳ１に変換される。
【００８２】
ステップＳ２２４において、図１０（ｃ）に示すように、３セグメントが第１周波数変換回路６００によってベースバンド信号ＤＳ１に変換される。第１ＯＦＤＭ復調回路７０は、ベースバンド信号ＤＳ１をＯＦＤＭ復調する。
【００８３】
ステップＳ２２５において、ダイバーシティ受信回路８ｂは、第１ＯＦＤＭ復調回路７０が出力する第１ＯＦＤＭ信号の復調信号を、誤り訂正回路９へ出力するためのタイミング調整を行う。
【００８４】
ステップＳ２２６において、誤り訂正回路９は、復調信号ＪＳを階層毎に誤り訂正し、ＭＰＥＧ２−ＴＳ信号を生成する。
【００８５】
（Ｂ）次に、第２受信モード時の動作について説明する。図８に示すＯＦＤＭ受信装置における各信号の周波数配置例を図１１に示す。
【００８６】
ステップＳ２０１において、受信モード設定回路１０ｂは、ダイバーシティ受信を行うと判定し、ステップＳ２０２に処理が進む。
【００８７】
ステップＳ２０２において、受信モード設定回路１０ｂは、第１及び第２チューナ２ａ，２ｂ、第１及び第２セグメント復調回路２００ａ，２００ｂ、ダイバーシティ受信回路８ｂ、及び誤り訂正回路９を第２受信モードに設定する。
【００８８】
ステップＳ２０３において、第１チューナ２ａは、第１ＯＦＤＭ信号をＲＦ帯からＩＦ帯へダウンコンバートするとともに第１ＯＦＤＭ信号の１セグメント（基本セグメント）分の周波数帯域制限を行う。第２チューナ２ｂは、第２ＯＦＤＭ信号をＲＦ帯からＩＦ帯へダウンコンバートするとともに第２ＯＦＤＭ信号の１セグメント（基本セグメント）分の周波数帯域制限を行う。この結果、第１及び第２チューナ２ａ，２ｂは、図１１（ａ）に示す周波数配置を有する第１及び第２アナログＯＦＤＭ信号ＡＳ１，ＡＳ２をそれぞれ出力する。第１及び第２アナログＯＦＤＭ信号ＡＳ１，ＡＳ２は、第１及び第２Ａ／Ｄ変換器３ａ及び３ｂによってデジタルＯＦＤＭ信号に変換される。変換された各デジタルＯＦＤＭ信号は、図１１（ｂ）に示すように、第１及び第２複素ＯＦＤＭ信号ＣＳ１，ＣＳ２に更に変換される。
【００８９】
ステップＳ２０４において、図１１（ｃ）に示すように、第１周波数変換回路６００は第１複素ＯＦＤＭ信号ＣＳ１をベースバンド信号ＤＳ１に変換する。また、第２周波数変換回路６ｂは第２複素ＯＦＤＭ信号ＣＳ２をベースバンド信号ＤＳ２に変換する。第１及び第２ＯＦＤＭ復調回路７０，７ｂは、ベースバンド信号ＤＳ１，ＤＳ２をそれぞれＯＦＤＭ復調する。
【００９０】
ステップＳ２０５において、ダイバーシティ受信回路８ｂは、第１及び第２ＯＦＤＭ復調回路７０，７ｂが出力する第１及び第２ＯＦＤＭ信号の復調信号をダイバーシティ受信する。
【００９１】
ステップＳ２０６において、誤り訂正回路９は、復調信号ＪＳに対してＡ階層についてのみの誤り訂正を実行し、ＭＰＥＧ２−ＴＳ信号を生成する。
【００９２】
（Ｃ）次に、第３受信モード時の動作について説明する。ただし、第２受信モード時と同様の動作については重複する説明を省略する。
【００９３】
ステップＳ２０１において、受信モード設定回路１０ｂは、ダイバーシティ受信を行わないと判定し、ステップＳ２１０に処理が進む。
【００９４】
ステップＳ２１０において、受信モード設定回路１０ｂは、１セグメント受信すると判定し、ステップＳ２１２に処理が進む。
【００９５】
ステップＳ２１２において、受信モード設定回路１０ｂは、第１及び第２チューナ２ａ，２ｂ、第１及び第２セグメント復調回路２００ａ，２００ｂ、ダイバーシティ受信回路８ｂ、及び誤り訂正回路９を第３受信モードに設定する。
【００９６】
ステップＳ２１３において、第２チューナ２ｂは、第２ＯＦＤＭ信号をＲＦ帯からＩＦ帯へダウンコンバートするとともに第２ＯＦＤＭ信号の１セグメント（基本セグメント）分の周波数帯域制限を行う。
【００９７】
ステップＳ２１４において、第２周波数変換回路６ｂは第２複素ＯＦＤＭ信号ＣＳ２をベースバンド信号ＤＳ２に変換する。第２ＯＦＤＭ復調回路７ｂは、ベースバンド信号ＤＳ２をＯＦＤＭ復調する。
【００９８】
ステップＳ２１５において、ダイバーシティ受信回路８ｂは、第２ＯＦＤＭ復調回路７ｂが出力する第２ＯＦＤＭ信号の復調信号を、誤り訂正回路９へ出力するためのタイミング調整を行う。
【００９９】
ステップＳ２１６において、誤り訂正回路９は、復調信号ＪＳに対してＡ階層についてのみの誤り訂正を実行し、ＭＰＥＧ２−ＴＳ信号を生成する。
【０１００】
このように、第２実施形態によれば、第１実施形態と同様に、回路規模の増大を抑制しつつ、受信性能を改善可能なＯＦＤＭ受信装置を提供できる。
【０１０１】
（その他の実施形態）
上記のように、本発明は第１及び第２実施形態によって記載したが、この開示の一部をなす論述及び図面はこの発明を限定するものであると理解すべきではない。この開示から当業者には様々な代替実施形態、実施例及び運用技術が明らかとなろう。
【０１０２】
上述した第１実施形態において、分岐回路４ａが、図１２に示すように、１セグメント受信時に、１セグメント分の第１複素ＯＦＤＭ信号ＫＳ１を第１ＢＰＦ５ａに入力せずに、第１周波数変換回路６ａに入力する構成でも良い。チューナ２にて基本セグメントの周波数帯域成分のみを抽出可能である場合、第１ＢＰＦ５ａを使用する必要がないためである。したがって、１セグメント受信時に、第３セグメント復調回２０ｂに加えて、第１ＢＰＦ５ａの動作を停止させることにより、１セグメント受信時における消費電力を削減できる。
【０１０３】
また、第１及び第２実施形態において、第１アンテナ１ａとしてホイップアンテナを使用し、第２アンテナ１ｂとしてイヤホンアンテナを使用する場合、第２アンテナ１ｂが装着されていないと、第２チューナ２ｂ、第２Ａ／Ｄ変換器３ｂ、及び第２セグメント復調回路２０ｂ，２００ｂを用いた受信動作が実行不可能である。
【０１０４】
このため、第２実施形態においては、１セグメント受信時にダイバーシティ受信しない場合、第１及び第２アンテナ１ａ，１ｂのうち使用可能なアンテナを検出する検出部と、使用可能なアンテナからの受信信号を第２チューナ２ｂに入力する入力部とを備える構成としても良い。
【０１０５】
上述した第１実施形態においては、第３受信モード時において、第２チューナ２ｂ、第２セグメント復調回路２０ｂ、及び第３セグメント復調回路２０ｃの動作を停止させ、第１チューナ２ａ及び第１セグメント復調回路２０ａを動作させると説明した。しかしながら、第３受信モード時において、第１チューナ２ａ、第１セグメント復調回路２０ａ、及び第３セグメント復調回路２０ｃの動作を停止させ、第２チューナ２ｂ及び第２セグメント復調回路２０ｂを動作させても良い。
【０１０６】
また、第２実施形態においては、第３受信モード時において、第１チューナ２ａ、第１Ａ／Ｄ変換器３ａ、及び第１セグメント復調回路２００ａの動作を停止させ、第２チューナ２ｂ、第２Ａ／Ｄ変換器３ｂ、及び第２セグメント復調回路２００ｂを動作させるとして説明した。しかしながら、第３受信モード時において、第２チューナ２ｂ、第２Ａ／Ｄ変換器３ｂ、及び第２セグメント復調回路２００ｂの動作を停止させ、第１チューナ２ａ、第１Ａ／Ｄ変換器３ａ、及び第１セグメント復調回路２００ａを動作させても良い。
【０１０７】
第１実施形態に係る第１及び第２Ａ／Ｄ変換器３ａ，３ｂ、分岐回路４ａ、復調回路１００ａ、ダイバーシティ受信回路８ａ、誤り訂正回路９、及び受信モード設定回路１０ａは、同一の半導体チップ上にモノリシックに集積化し、半導体集積回路として構成できる。
【０１０８】
同様に、第２実施形態に係る第１及び第２Ａ／Ｄ変換器３ａ，３ｂ、復調回路１００ｂ、ダイバーシティ受信回路８ｂ、誤り訂正回路９、及び受信モード設定回路１０ｂは、同一の半導体チップ上にモノリシックに集積化し、半導体集積回路として構成できる。
【０１０９】
更に、第１及び第２実施形態においては、アンテナ個数を２としたが、ダイバーシティ効果を向上させるため、３個以上のアンテナを備える構成に応用可能である。
【０１１０】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１１１】
【図１】本発明の第１実施形態に係るＯＦＤＭ受信装置の構成例を示すブロック図である。
【図２】本発明の第１実施形態に係る第１〜第３ＯＦＤＭ復調回路の内部構成例を示すブロック図である。
【図３】本発明の第１実施形態に係るＯＦＤＭ受信装置の動作例を示すフローチャートである。
【図４】本発明の第１実施形態に係るＯＦＤＭ受信装置の第１受信モード時における受信信号の周波数配置を示す模式図である。
【図５】本発明の第１実施形態に係るＯＦＤＭ受信装置の第１受信モード時における受信信号の周波数配置を示す模式図である。
【図６】本発明の第１実施形態に係るＯＦＤＭ受信装置の第１受信モード時における受信信号の周波数配置を示す模式図である。
【図７】本発明の第１実施形態に係るＯＦＤＭ受信装置の第２受信モード時における受信信号の周波数配置を示す模式図である。
【図８】本発明の第２実施形態に係るＯＦＤＭ受信装置の構成例を示すブロック図である。
【図９】本発明の第２実施形態に係るＯＦＤＭ受信装置の動作例を示すフローチャートである。
【図１０】本発明の第２実施形態に係るＯＦＤＭ受信装置の第１受信モード時における受信信号の周波数配置を示す模式図である。
【図１１】本発明の第２実施形態に係るＯＦＤＭ受信装置の第２受信モード時における受信信号の周波数配置を示す模式図である。
【図１２】その他の実施形態に係るＯＦＤＭ受信装置の構成例を示すブロック図である。
【符号の説明】
【０１１２】
１ａ…第１アンテナ
１ｂ…第２アンテナ
２…チューナ
２ａ…第１チューナ
２ｂ…第２チューナ
３ａ…第１Ａ／Ｄ変換器
３ｂ…第２Ａ／Ｄ変換器
４ａ…分岐回路
６ａ…第１周波数変換回路
６ｂ…第２周波数変換回路
６ｃ…第４周波数変換回路
７ａ…第１ＯＦＤＭ復調回路
７ｂ…第２ＯＦＤＭ復調回路
７ｃ…第３ＯＦＤＭ復調回路
８ａ，８ｂ…ダイバーシティ受信回路
９…誤り訂正回路
１０ａ，１０ｂ…受信モード設定回路
２０ａ…第１セグメント復調回路
２０ｂ…第２セグメント復調回路
２０ｃ…第３セグメント復調回路
６０…第３周波数変換回路
７０…第１ＯＦＤＭ復調回路
７１ａ…第１ＦＦＴ回路
７１ｂ…第２ＦＦＴ回路
７１ｃ…第３ＦＦＴ回路
７２ａ…第１等化回路
７２ｂ…第２等化回路
７２ｃ…第３等化回路
１００ａ，１００ｂ…復調回路
２００ａ…第１セグメント復調回路
２００ｂ…第２セグメント復調回路
６００…第１周波数変換回路
【図１】
0004740012.tif 000004
【図２】
0004740012.tif 000005
【図３】
0004740012.tif 000006
【図４】
0004740012.tif 000007
【図５】
0004740012.tif 000008
【図６】
0004740012.tif 000009
【図７】
0004740012.tif 000010
【図８】
0004740012.tif 000011
【図９】
0004740012.tif 000012
【図１０】
0004740012.tif 000013
【図１１】
0004740012.tif 000014
【図１２】
0004740012.tif 000015